【手続補正書】
【提出日】平成16年2月12日(2004.2.12)
【手続補正１】
【補正対象書類名】明細書
【補正対象項目名】発明の名称
【補正方法】変更
【補正の内容】
【発明の名称】食器乾燥機及び乾燥室
【手続補正２】
【補正対象書類名】明細書
【補正対象項目名】特許請求の範囲
【補正方法】変更
【補正の内容】
【特許請求の範囲】
【請求項１】
食器類を収納する第１の乾燥室と、前記第１の乾燥室に加熱源を介して温風を送風する送風機とを有する食器乾燥機本体と、前記食器乾燥機本体から独立して形成されたまな板等の調理用具を収納可能な第２の乾燥室とを備え、前記送風機と前記第２の乾燥室とを連通させたことを特徴とする食器乾燥機。
【請求項２】
前記食器乾燥機本体に前記送風機と連通して前記温風を前記第１の乾燥室に送風する第１の送風孔と、前記温風を前記第２の乾燥室に送風する第２の送風孔を設け、第２の乾燥室には前記第２の送風孔からの温風を通す穴部が設けられ、前記第２の送風孔と前記穴部を嵌合させたことを特徴とする請求項１記載の食器乾燥機。
【請求項３】
前記第２の乾燥室は、前記食器乾燥機本体に着脱可能に取り付けるようにしたことを特徴とする請求項１乃至２のいずれか記載の食器乾燥機。
【請求項４】
前記食器乾燥機本体に脚部を形成し、該脚部を中空として前記加熱源と連通させ、前記脚部が前記第２の送風孔を兼ねることを特徴とする請求項２乃至３のいずれか記載の食器乾燥機。
【請求項５】
食器類を収納する第１の乾燥室と、前記第１の乾燥室に加熱源を介して温風を送風する送風機と、前記温風を前記第１の乾燥室に送風する第１の送風孔と、前記温風を前記前記第１の乾燥室を介さずに前記食器乾燥機本体外に送風する第２の送風孔を設けたことを特徴とする食器乾燥機。
【請求項６】
まな板等の調理用具を収納可能な第２の乾燥室と、第２の乾燥室に設けられた温風を通す穴部を備え、
前記穴部は、食器類を収納する第１の乾燥室と前記第１の乾燥室に加熱源を介して温風を送風する送風機とを有する食器乾燥機から送風される温風を前記第２の乾燥室に通すように構成され、前記食器乾燥機に着脱可能としたことを特徴とする乾燥室。
【手続補正３】
【補正対象書類名】明細書
【補正対象項目名】０００１
【補正方法】変更
【補正の内容】
【０００１】
【発明の属する技術分野】
本発明は、食器類や調理器具類等を乾燥する食器乾燥機及び乾燥室に関するものである。


【手続補正４】
【補正対象書類名】明細書
【補正対象項目名】０００２
【補正方法】変更
【補正の内容】
【０００２】
【従来の技術】
図９と図１０は、例えば特公平５−５０９３７号公報に示された従来の食器乾燥機を示す断面図と斜視図である。図において、２１は本体で、内部に水受板２２を有し、この水受板２２の下方にはモーター２３とモーター２３により駆動されるファン２４と水受板２２の裏面に形成される空気流路内に設けたヒーター２５とにより構成された温風発生装置２６を有する。２７は水受板２２の上方に設けられた食器乾燥室、２８は食器乾燥室２７に設けられた水切りかごで、食器類２９が収納される。本体２１の両側には上方に突出した支持部３０が設けられており、この支持部３０には前蓋３１と後蓋３２よりなる蓋３３を回動軸３４で枢着し、この蓋３３で前記本体２１の上方開口部を覆うようにしている。この蓋３３は前記水切りかご２８を収納できる大きさに形成されている。３６は本体２１の底部に設けられた付属収納部で、前面の開口部３７からまな板や包丁などの調理道具３８を入れるボックス３９が挿入され、又は引き出される。ボックス３９は、内箱４０と外箱４１から構成され、内箱４０は外箱４１の底部を滑り、伸縮自在にできるように構成されている。４２は内箱４０の底部に設けられている長孔、４３は外箱４１の底部に設けられ、内箱４０の長孔４２に挿入される突起である。４４は水受板２２に設けられた第１の温風送風孔で温風発生装置２６からの温風を食器乾燥室２７に供給するものである。４５は水受板２２に設けられた第２の温風送風孔で、温風発生装置２６から付属収納部３６に送風された温風を食器乾燥室２７に供給するものである。


【手続補正５】
【補正対象書類名】明細書
【補正対象項目名】０００３
【補正方法】変更
【補正の内容】
【０００３】
このように構成された従来の食器乾燥機においては、食器類２９を乾燥するときは、温風発生装置２６から送られる温風が第１の温風送風孔４４を通り水切りかご２８の下方へ送られ、送風された温風は水切りかご２８を通過し、食器類２９を乾燥させる。一方、調理時に使用したまな板や包丁などの調理道具３８は、水受板２２の下方に形成された付属収納部３６に前面の開口部３７より収納され、温風発生装置２６からの温風を付属収納部３６に送風し、調理道具３８を乾燥させ、その温風を第２の温風送風孔４５から食器乾燥室２７に供給する。


【手続補正６】
【補正対象書類名】明細書
【補正対象項目名】０００５
【補正方法】変更
【補正の内容】
【０００５】
この発明は、上述のような課題を解決するためになされたもので、食器乾燥機本体の大きさに影響を与えることなく、まな板等の調理用具を乾燥することができる食器乾燥機及び乾燥室を得るものである。


【手続補正７】
【補正対象書類名】明細書
【補正対象項目名】０００６
【補正方法】変更
【補正の内容】
【０００６】
【課題を解決するための手段】
この発明に係る食器乾燥機においては、食器類を収納する第１の乾燥室と、前記第１の乾燥室に加熱源を介して温風を送風する送風機とを有する食器乾燥機本体と、前記食器乾燥機本体から独立して形成されたまな板等の調理用具を収納可能な第２の乾燥室とを備え、前記送風機と前記第２の乾燥室とを連通させたものである。
また、前記食器乾燥機本体に前記送風機と連通して前記温風を前記第１の乾燥室に送風する第１の送風孔と、前記温風を前記第２の乾燥室に送風する第２の送風孔を設け、第２の乾燥室には前記第２の送風孔からの温風を通す穴部が設けられ、前記第２の送風孔と前記穴部を嵌合させたものである。
【手続補正８】
【補正対象書類名】明細書
【補正対象項目名】０００７
【補正方法】変更
【補正の内容】
【０００７】
また、前記第２の乾燥室は、前記食器乾燥機本体に着脱可能に取り付けるようにしたものである。
また、前記食器乾燥機本体に脚部を形成し、該脚部を中空として前記加熱源と連通させ、前記脚部が前記第２の送風孔を兼ねるものである。
【手続補正９】
【補正対象書類名】明細書
【補正対象項目名】０００８
【補正方法】変更
【補正の内容】
【０００８】
また、この発明に係る食器乾燥機においては、食器類を収納する第１の乾燥室と、前記第１の乾燥室に加熱源を介して温風を送風する送風機と、前記温風を前記第１の乾燥室に送風する第１の送風孔と、前記温風を前記前記第１の乾燥室を介さずに前記食器乾燥機本体外に送風する第２の送風孔を設けたものである。
【手続補正１０】
【補正対象書類名】明細書
【補正対象項目名】０００９
【補正方法】変更
【補正の内容】
【０００９】
また、この発明に係る乾燥室においては、まな板等の調理用具を収納可能な第２の乾燥室と、第２の乾燥室に設けられた温風を通す穴部を備え、前記穴部は、食器類を収納する第１の乾燥室と前記第１の乾燥室に加熱源を介して温風を送風する送風機とを有する食器乾燥機から送風される温風を前記第２の乾燥室に通すように構成されて、前記食器乾燥機に着脱可能としたものである。
【手続補正１１】
【補正対象書類名】明細書
【補正対象項目名】００１０
【補正方法】変更
【補正の内容】
【００１０】
【発明の実施の形態】
実施の形態１．
図１はこの発明の実施の形態１である食器乾燥機を示す断面図、図２はこの発明の実施の形態１である食器乾燥機の斜視図で、図において、１は内部に加熱源２となるヒータを有する食器乾燥機本体、３は本体１の上方に設けられた第１の乾燥室、４は加熱源２を介して温風を送風する送風機、５は加熱源２を介し送風機４から得られる温風を第１の乾燥室３に送り込むための第１の送風孔、６は本体１の下方にセットされる第２の乾燥室で、内部に収納ケース７が挿入収納される。８は加熱源２を介し送風機４から得られる温風を第２の乾燥室６の収納ケース７内に供給するための第２の送風孔、９は第２の乾燥室６に設けられ収納ケース７と連通する穴部で、第２の送風孔８と穴部９は雄、雌、或いはその逆の形状をとることで着脱自在に嵌合する。１０は第２の乾燥室６を使用しないときに第２の送風孔８を塞ぐためのシャッター、１１は食器乾燥機本体１に設けられた脚部で、この脚部１１と嵌合する凹部１２を第２の乾燥室６上面に形成しているので、食器乾燥機本体１に対する第２の乾燥室６の位置が決められる。


【手続補正１２】
【補正対象書類名】明細書
【補正対象項目名】００１１
【補正方法】変更
【補正の内容】
【００１１】
このように構成された食器乾燥機において、第１の乾燥室３内に収納される食器類（図示せず）は、送風機４から送られる温風が第１の送風孔５を通り、第１の乾燥室３へ送られ、送風された温風は食器類（図示せず）を乾燥させる。一方、まな板や包丁などの調理道具（図示せず）を乾燥するときは、第２の乾燥室６を食器乾燥機本体１の脚部１１と凹部１２、第２の送風孔８と穴部９とを嵌合させて、第２の乾燥室６を食器乾燥機本体１にセットする。そして、第２の乾燥室６内の収納ケース７内に調理道具（図示せず）を収納する。送風機３から送られる温風が第２の送風孔８から穴部９を通り、収納ケース７内に送風される。そして、収納ケース７を有する第２の乾燥室６は、食器乾燥機本体１に対し脚部１１と凹部１２、送風孔８と穴部９とが着脱自在に設けられているため、第２の乾燥室６を必要としない消費者は第２の乾燥室６を取り外して、食器乾燥機本体１のみで使用することができる。


【手続補正１３】
【補正対象書類名】明細書
【補正対象項目名】００１２
【補正方法】変更
【補正の内容】
【００１２】
つまり、まな板などの大きな調理道具（図示せず）を乾燥するときは、第２の乾燥室６を本体１に取り付けて乾燥を行うものであるので、食器乾燥機本体１は第２の乾燥室６の大きさに関係なく形成することができる。したがって、乾燥させようとする調理道具（図示せず）の大きさによって食器乾燥機本体１の大きさが決まってしまうということがないので、食器乾燥機本体１の第２の送風孔８の大きさが穴部９に対して共通の大きさであれば、大きさの異なる（収納可能食器点数の異なる）第１の乾燥室３を備えた食器乾燥機本体１に共通の第２の乾燥室６を使用することができる。


【手続補正１４】
【補正対象書類名】明細書
【補正対象項目名】００２１
【補正方法】変更
【補正の内容】
【００２１】
本発明の食器乾燥機及び乾燥室によれば、食器乾燥機本体の大きさに関係なく、第２の乾燥室の形状を自由に形成することができる。


【手続補正１５】
【補正対象書類名】明細書
【補正対象項目名】００２２
【補正方法】変更
【補正の内容】
【００２２】
また、前記食器乾燥機本体に前記送風機と連通して前記温風を前記第１の乾燥室に送風する第１の送風孔と、前記温風を前記第２の乾燥室に送風する第２の送風孔を設け、第２の乾燥室には前記第２の送風孔からの温風を通す穴部が設けられ、前記第２の送風孔と前記穴部を嵌合させたので、第２の乾燥室を食器乾燥機本体と独立して形成することができる。


【手続補正１６】
【補正対象書類名】明細書
【補正対象項目名】００２３
【補正方法】変更
【補正の内容】
【００２３】
また、前記第２の乾燥室は、前記食器乾燥機本体に着脱可能に取り付けるようにしたので、第１の乾燥室のみの使用を可能とすることができる。


【手続補正１７】
【補正対象書類名】明細書
【補正対象項目名】００２４
【補正方法】変更
【補正の内容】
【００２４】
また、前記食器乾燥機本体に脚部を形成し、該脚部を中空として前記加熱源と連通させ、前記脚部が前記第２の送風孔を兼ねるので、脚部を第２の送風孔として利用することができる。


【手続補正１８】
【補正対象書類名】図面
【補正対象項目名】図２
【補正方法】変更
【補正の内容】
【図２】
2003220010.tif 000001